【手続補正書】
【提出日】平成26年4月28日(2014.4.28)
【手続補正１】
【補正対象書類名】明細書
【補正対象項目名】０００７
【補正方法】変更
【補正の内容】
【０００７】
しかしながら、特許文献１に記載の撮像ユニットにおいて、接着用の開口部が撮像素子の中央部分に対応する１か所であり、また、開口部の断面形状は厚み方向でストレートであるために、十分な接着強度が得られない。接着強度は、撮像ユニット重量の約１０倍程度であると記載されている。
【手続補正２】
【補正対象書類名】明細書
【補正対象項目名】００１０
【補正方法】変更
【補正の内容】
【００１０】
上記目的を解決するために、本発明は、撮像素子と、開口部が形成される固定部材と、を備え、前記撮像素子を前記固定部材に位置決めした後、前記開口部に接着剤を流し込むことで、前記撮像素子を前記固定部材に接着固定する撮像装置であって、前記撮像素子に対向しない側の開口幅が前記撮像素子に対向する側の開口幅よりも大きくなるように形成されており、前記開口には、前記撮像素子の光軸方向に対して傾いた傾斜面が形成されており、前記開口部に流し込まれた前記接着剤が硬化すると、前記傾斜面の少なくとも一部が硬化された前記接着剤で満たされることを特徴とする。
【手続補正３】
【補正対象書類名】明細書
【補正対象項目名】００２５
【補正方法】変更
【補正の内容】
【００２５】
光学ローパスフィルタ４１０は、水晶からなる１枚の複屈折板であり、その形状は矩形状である。光学ローパスフィルタ４１０は、撮影有効領域４１０ａの一側方に圧電素子４３０を配置する周縁部４１０ｂを有しており、撮影光軸に対して直交する方向（カメラＲＬ方向）にて非対称である。このようにした光学ローパスフィルタ４１０の表面には、光学的なコーティングが施されている。
【手続補正４】
【補正対象書類名】明細書
【補正対象項目名】００２８
【補正方法】変更
【補正の内容】
【００２８】
圧電素子用フレキシブルプリント基板４７０は、圧電素子４３０に接着固定されるとともに、圧電素子４３０に電圧を印加することができる。圧電素子４３０は、電圧の印加により光軸と直交する方向（Ｒ−Ｌ）に主として伸縮振動し、光学ローパスフィルタ４１０を共振（振動）させる。
【手続補正５】
【補正対象書類名】明細書
【補正対象項目名】００２９
【補正方法】変更
【補正の内容】
【００２９】
付勢部材４４０は、光学ローパスフィルタ４１０を光軸方向に付勢し、光学ローパスフィルタ保持部材４２０または撮像素子固定部材５１０に係止される。付勢部材４４０は導電性を有する材料で形成されるとともに、ビスにより撮像素子固定部材５１０に電気的に接続されている。したがって、撮像素子固定部材５１０は、付勢部材４４０と接する光学ローパスフィルタ４１０の表面（光学的なコーティングが施された面）とも電気的に接続される。撮像素子固定部材５１０はカメラ本体１の接地電位となっている。これにより、光学ローパスフィルタ４１０の表面も接地電位となり、光学ローパスフィルタ４１０の表面への塵埃等の静電気的な付着を抑制することができる。
【手続補正６】
【補正対象書類名】明細書
【補正対象項目名】００３６
【補正方法】変更
【補正の内容】
【００３６】
図５に示すように、撮像素子固定部材５１０には、２つの開口部７００が形成されている。開口部７００は、撮像素子８の長辺方向における略中央部分に対応する位置にて、撮像素子８の短辺方向に延出して形成される。この開口部７００に接着剤８００を流し込むことにより、撮像素子８と撮像素子固定部材５１０は強固に接着固定される。なお、本実施形態では、開口部７００を２つ形成する例を説明するが、開口部７００は１つであっても、複数形成されていてもよい。
【手続補正７】
【補正対象書類名】明細書
【補正対象項目名】００３９
【補正方法】変更
【補正の内容】
【００３９】
図７（ｂ）は、本実施形態の第１の変形例を説明する開口部７００の断面図である。Ｔａで示される開口面が光軸に対して全面傾斜しており、図７（ａ）よりもアンカー効果が強く接着強度が高い。また、接着界面の範囲もＴａ＞ｔとなる。
【手続補正８】
【補正対象書類名】明細書
【補正対象項目名】００４６
【補正方法】変更
【補正の内容】
【００４６】
したがって、開口部７００を撮像素子８の略中央に対応する位置に配置させることで、低温、高温での熱歪みによる撮像素子８の変形を低減することが可能である。
【手続補正９】
【補正対象書類名】明細書
【補正対象項目名】００４８
【補正方法】変更
【補正の内容】
【００４８】
図９に撮像ユニット４０の背面図を示す。図１０は、図９のＤ−Ｄにおける断面図と詳細図である。撮像素子８は、撮像素子固定部材５１０に対して、位置調整した後に開口部７００に接着剤８００を流し込んで撮像素子固定部材５１０に接着固定される。その後、信号処理基板６００が撮像素子８と半田などにより電気的に接続される。
【手続補正１０】
【補正対象書類名】特許請求の範囲
【補正対象項目名】全文
【補正方法】変更
【補正の内容】
【特許請求の範囲】
【請求項１】
撮像素子と、開口部が形成される固定部材と、を備え、前記撮像素子を前記固定部材に位置決めした後、前記開口部に接着剤を流し込むことで、前記撮像素子を前記固定部材に接着固定する撮像装置であって、
前記撮像素子に対向しない側の開口幅が前記撮像素子に対向する側の開口幅よりも大きくなるように形成されており、
前記開口には、前記撮像素子の光軸方向に対して傾いた傾斜面が形成されており、
前記開口部に流し込まれた前記接着剤が硬化すると、前記傾斜面の少なくとも一部が硬化された前記接着剤で満たされることを特徴とする撮像装置。
【請求項２】
撮像素子と、開口部が形成される固定部材と、を備え、前記撮像素子を前記固定部材に位置決めした後、前記開口部に接着剤を流し込むことで、前記撮像素子を前記固定部材に接着固定する撮像装置であって、
前記撮像素子に対向しない側の開口幅が前記撮像素子に対向する側の開口幅よりも大きくなるように形成されており、
前記開口には、前記固定部材の表面と略平行な平行面が形成されており、
前記開口部に流し込まれた前記接着剤が硬化すると、前記平行面の少なくとも一部が硬化された前記接着剤で満たされることを特徴とする撮像装置。
【請求項３】
前記撮像素子に対向しない側の開口幅が前記撮像素子に対向する側の開口幅よりも大きくなるように、前記撮像素子に対向しない側に面取り加工を施すことで前記傾斜面が形成されていることを特徴とする請求項１に記載の撮像装置。
【請求項４】
前記撮像素子に対向しない側に座ぐり加工を施すことで、前記撮像素子に対向しない側の開口幅が前記撮像素子に対向する側の開口幅よりも大きくなるように、前記撮像素子に対向しない側に座ぐり加工を施すことで、前記平行面が形成されていることを特徴とする請求項２に記載の撮像装置。
【請求項５】
前記開口部は、前記撮像素子の長辺方向における略中央部分にて、前記撮像素子の短辺方向に延出した形状に形成されることを特徴とする請求項１ないし４のいずれか１項に記載の撮像装置。
【請求項６】
前記接着剤は光硬化型接着剤であることを特徴とする請求項１ないし５のいずれか１項に記載の撮像装置。
【請求項７】
前記開口部は、前記撮像素子の長辺方向における略中央部分に複数形成されることを特徴とする請求項１ないし６のいずれか１項に記載の撮像装置。
【手続補正１１】
【補正対象書類名】図面
【補正対象項目名】図４
【補正方法】変更
【補正の内容】
【図４】
2012230259.tif 000001